(57)【要約】      （修正有）【課題】保持器の円周方向の膨張および縮小に対して真円を維持して異音の発生を抑制する分割型保持器を提供すること。【解決手段】複数のセグメント１２の両端に設けられた結合部１３によって環状に連結された分割型保持器１１であって、各セグメント１２の両端に分離型保持器１１の円周方向Cと平行に結合部１３ｔ、１３ｏを設けて各セグメント１２を分離型保持器の円周方向Cに形成された凹凸構造によって嵌め合わせ、セグメント１２の円周方向端部１２ｈを除く結合部１３ｔ、１３ｏおよび結合部１３ｔ、１３ｏに形成される凸凹部１５ｔ、１５ｏの接合面を総て円周方向に沿って平行に形成する。【選択図】図１
2013177944.tif 000002
【特許請求の範囲】
【請求項１】
内輪および外輪間に配置された転動体を保持する複数のポケットが設けられた複数のセグメントを前記セグメント両端に設けた結合部によって環状に連結した保持器であって、
前記結合部は、少なくとも前記保持器の円周方向、径方向、および円周と径に垂直な方向の３方向に形成された凹凸構造によって嵌め合わされ、
前記結合部の円周方向のセグメント先端部に形成される他のセグメントとの接触面以外の他のセグメントとの接合面が総て前記円周方向に沿って平行に形成されて前記セグメントが円周方向にスライドすることを特徴とする分割型保持器。
【請求項２】
前記保持器の円周方向の凹凸構造は、前記セグメントの一端に円周方向に沿って平行に設けられた台形柱または台形柱の一部と、前記台形柱または台形柱の一部と嵌め合うように前記セグメントの他端に設けられた嵌合孔であり、
前記保持器の凹凸構造の接合面は、前記台形柱または台形柱の一部の柱表面であることを特徴とする請求項１に記載の分割型保持器。
【請求項３】
前記保持器の円周方向の凹凸構造は、前記セグメントの一端に円周方向に沿って平行に設けられた円柱または円柱の一部と、前記円柱または円柱の一部と嵌め合うように前記セグメントの他端に設けられた嵌合孔であり、
前記保持器の凹凸構造の接合面は、前記円柱または円柱の一部の柱側面であることを特徴とする請求項１に記載の分割型保持器。
【請求項４】
前記結合部の円周方向のセグメント端部に形成される他のセグメントとの接触面に緩衝材が取り付けられることを特徴とする請求項１から請求項５のいずれかに記載の分割型保持器。
【発明の詳細な説明】
【技術分野】
【０００１】
本発明は、ＣＴスキャナー、ロボット、および工作機械用の大径、かつ、薄肉の転がり軸受の分割型保持器に関する。
【背景技術】
【０００２】
従来より、大径、かつ、薄肉の転がり玉軸受においては、一体型保持器の課題である真円度の悪化と保持器の製造金型の大型化を避けるため、複数の帯部材を円環状に配置した分割型保持器を多用している。例えば、図７に示す従来の分離型保持器は、帯部材６１の長手方向端面から湾曲方向延長面に沿って延びる突出部６２と、突出部６２に接続されて帯部材６１の幅方向に沿って延びる係合部６３とを有する連結部６４によって隣接する他の帯部材６１の連結部６４を連結して帯部材６１を円環状に接続し、帯部材６１の円周方向の分離を防止している（例えば、特許文献１参照）。
【０００３】
また、図８に示す超薄肉形転がり軸受の保持器は、セグメントの結合部Ａと結合相手となるセグメントの結合部Ｂに、円周方向で凹凸係合する嵌合部６５ａ、６５ｂおよび半径方向で凹凸係合する嵌合部６６ａ、６６ｂを設け、嵌合部６５ａ、６５ｂによってセグメント同士の円周方向の分離を防止し、嵌合部６６ａ、６６ｂによって半径方向の分離を防止することで、嵌合部６５ａ、６５ｂのハメアイがルーズであっても、セグメントが確実に結合されるようにしている（例えば、特許文献２参照）。
【先行技術文献】
【特許文献】
【０００４】
【特許文献１】特開２０００−６５０６７号公報
【特許文献２】特開２０００−３２９１４３号公報
【発明の概要】
【発明が解決しようとする課題】
【０００５】
しかしながら、特許文献１は、円周方向の分離防止はできても、半径方向の分離防止はできないので、分離型保持器が連結部６４で半径方向にずれる可能性がある。
【０００６】
また、特許文献２では、セグメントの結合部Ａ、Ｂにおいて円周方向および半径方向の分離を防止できるが、特許文献1と同様に嵌合部６５ａ、６５ｂによって円周方向に拘束されているため、セグメントが潤滑剤を含んで膨潤し温度変化によって膨張するとき、保持器も円周方向に突っ張り膨張して真円度が悪化する。
【０００７】
その対策として従来は保持器にスリットを設けて保持器の寸法変化を吸収していたが、完全な円環形状と比較して変形しやすく、スリットから離れた保持器の一部分で一時的に歪が発生して真円度が悪化し、転動体または軌道輪等に接触して異音を発生するという問題があった。
【０００８】
本発明は、このような問題点に鑑みてなされたもので、その目的とするところは、保持器の円周方向の膨張および縮小に対して真円を維持して異音の発生を抑制する分割型保持器を提供することにある。
【課題を解決するための手段】
【０００９】
本発明の分割型保持器は、内輪および外輪間に配置された転動体を保持する複数のポケットが設けられた複数のセグメントを前記セグメント両端に設けた結合部によって環状に連結した保持器であって、前記結合部は、少なくとも前記保持器の円周方向、径方向、および円周と径に垂直な方向の３方向に形成された凹凸構造によって嵌め合わされ、前記結合部の円周方向のセグメント先端部に形成される他のセグメントとの接触面以外の他のセグメントとの接合面が総て前記円周方向に沿って平行に形成されて前記セグメントが円周方向にスライドすることを特徴とする。
【発明の効果】
【００１０】
本発明によれば、保持器の円周方向の膨張および縮小に対して真円を維持して異音の発生を抑制する分割型保持器を提供することができる。
【図面の簡単な説明】
【００１１】
【図１】本発明の第１の実施形態の分割型保持器の例を示す図    （ａ）分割型保持器の断面図    （ｂ）分割型保持器の連結部の斜視図
【図２】本発明の第１の実施形態の球面ポケットが形成された分割型保持器の例を示す図    （ａ）分割型保持器の連結部の拡大斜視図    （ｂ）球面ポケットが形成されたセグメントを展開した平面図
【図３】本発明の第１の実施形態の冠形状のポケットが形成された分割型保持器のセグメントを展開した平面図
【図４】本発明の第２の実施形態の台形柱の連結部を有する分割型保持器の例を示す図    （ａ）分割型保持器の連結部の斜視図    （ｂ）分割型保持器の連結部の断面図
【図５】本発明の第２の実施形態の円柱の連結部を有する分割型保持器の例を示す図    （ａ）分割型保持器の連結部の斜視図    （ｂ）分割型保持器の連結部の断面図
【図６】本発明の第３の実施形態の分割型保持器の連結部の例を示す拡大斜視図
【図７】従来のセグメントの例を示す展開平面図
【図８】従来のセグメントの結合部の例を示す図
【発明を実施するための形態】
【００１２】
以下、図面に基づき、本発明の実施形態について説明する。第１の実施形態は、セグメントの結合部の両端を保持器の円周方向、径方向、および円周と径に垂直な方向の３方向に設けた凹凸構造によって嵌め合わせ、円周方向のセグメント先端部に形成される接触面以外の３方向の接合面を総て円周方向に沿って平行に形成してセグメントを連結した例であり、第２の実施形態は、セグメントの結合部の両端を円周方向に沿って平行に形成された柱形状の凹凸構造によって嵌め合わせ、円周方向に沿って平行に形成した柱側面を接合面としてセグメントを連結した例であり、第３の実施形態は、円周方向のセグメント先端部にダンパーを取り付けた例である。
【００１３】
図１は、本発明の第１の実施形態の分割型保持器の例を示す図であり、図１（ａ）は、分割型保持器の断面図、図１（ｂ）は、分割型保持器の連結部の斜視図である。図１に示すように、複数の帯状セグメント１２の両端に円周方向Ｃと平行に設けられた結合部１３ｏ、１３ｔを互いに連結して円環状の分離型保持器１１が形成される。セグメント１２には、長手方向に所定間隔でボールを保持する複数のポケット部１４が設けられ、セグメント１２の一端の結合部１３ｏは、中央部が空いて開いた凹構造に形成され、セグメント１２の他端の結合部１３ｔは、他のセグメント１２’の結合部１３ｏ’と嵌め合うように中央部が突出した凸構造に形成され、セグメント１２の結合部１３ｏ、１３ｔは、分離型保持器１１の円周方向Cに形成された凹凸構造によって円周方向Cおよび、保持器円周方向Cと保持器径方向Rとに垂直な方向Wに嵌め合わされる。
【００１４】
図２は、本発明の第１の実施形態の球面ポケットが形成された分割型保持器の例を示す図であり、図２（ａ）は、分割型保持器の連結部の拡大斜視図、図２（ｂ）は、球面ポケットが形成されたセグメントを展開した平面図である。
【００１５】
図２に示すように、セグメント１２の結合部１３ｔの接合面には、円周方向Cに沿って平行に形成された凹部１５ｏが設けられ、他のセグメント１２’の結合部１３ｏ’の接合面には、セグメント１２の結合部１３ｔの凹部１５ｏと嵌め合うように、円周方向Cに沿って平行に形成された凸部１５ｔ’が設けられる。
【００１６】
凹部１５ｏおよび凸部１５ｔ’は、径方向Rおよび円周と径に垂直な方向Wに規制をする凹凸構造を有する。円周方向Cに平行に形成された凹凸構造によって嵌め合わされたセグメント１２の結合部１３ｔと他のセグメント１２’の結合部１３ｏ’は、凹部１５ｏおよび凸部１５ｔ’を設けたことによって分離型保持器１１の径方向Rにも嵌め合わされる。
【００１７】
また、セグメント１２の結合部１３ｔと他のセグメント１２’の結合部１３ｏ’およびセグメント１２の結合部１３ｔと他のセグメント１２’の結合部１３ｏ’に形成される凹部１５ｏおよび凸部１５ｔ’の接合面は、セグメント１２および他のセグメント１２’の円周方向先端部１２ｈ、１２ｈ’を除いて総て円周方向Cに沿って平行に形成されているので、セグメント１２の結合部１３ｔと他のセグメント１２’の結合部１３ｏ’は、円周方向Cにスライドすることができる。
【００１８】
セグメント１２と他のセグメント１２’は、円周方向Ｃと平行に設けられた結合部１３ｔ、１３ｏ’によって円周と径に垂直な方向Wが固定され、凹部１５ｏおよび凸部１５ｔ’によって径方向Rも固定されるが、円周方向Cには凹部１５ｏおよび凸部１５ｔの接合面が重なる範囲でスライドするので、分離型保持器１１の各セグメント１２は、円周方向Ｃの急な膨張または縮小をセグメント１２の両端に設けられた結合部１３ｔ、１３ｏにおいて速やかに吸収することができる。
【００１９】
図３は、本発明の第１の実施形態の冠形状のポケットが形成された分割型保持器のセグメントを展開した平面図である。図３に示すように、複数の帯状セグメント２２の両端に円周方向Ｃと平行に設けられた結合部２３ｏ、２３ｔを互いに連結して円環状の分離型保持器が形成される。セグメント２２には、基部から軸方向の一方に延びる柱部と、隣り合った柱部間に設けられた複数のポケット２４が設けられ、柱部はボールのピッチ円Ｐを超えて軸方向の一方に延びている。
【００２０】
セグメント２２の一端の結合部２３ｏは、中央部が空いて開いた凹構造に形成され、セグメント２２の他端の結合部２３ｔは、他のセグメント２２’の結合部２３ｏ’と嵌め合うように中央部が突出した凸構造に形成され、セグメント２２の結合部２３ｏ、２３ｔは、分離型保持器の円周方向Cに形成された凹凸構造によって円周方向Cおよび、保持器円周方向Cと保持器径方向Rとに垂直な方向Wに嵌め合わされる。
【００２１】
セグメント２２の結合部２３ｔの接合面には、円周方向Cに沿って平行に形成された凸部２５ｔが設けられ、他のセグメント２２’の結合部２３ｏ’の接合面には、セグメント２２の結合部２３ｔの凸部２５ｔと嵌め合うように、円周方向Cに沿って平行に形成された凹部２５ｏ’が設けられる。
【００２２】
凸部２５ｔおよび凹部２５ｏ’は、径方向Rおよび円周と径に垂直な方向Wに凹凸構造を有する。円周方向Cに平行に形成された凹凸構造によって嵌め合わされたセグメント２２の結合部２３ｔと他のセグメント２２’の結合部２３ｏ’は、凹部２５ｏ’および凸部２５ｔを設けたことによって分離型保持器の径方向Rにも嵌め合わされる。
【００２３】
また、セグメント２２の結合部２３ｔと他のセグメント２２’の結合部２３ｏ’およびセグメント２２の結合部２３ｔと他のセグメント２２’の結合部２３ｏ’に形成される凸部２５ｔおよび凹部２５ｏ’の接合面は、セグメント２２および他のセグメント２２’の円周方向先端部２２ｈ、２２ｈ’を除いて総て円周方向Cに沿って平行に形成されているので、セグメント２２の結合部２３ｔと他のセグメント２２’の結合部２３ｏ’は、円周方向Cにスライドする。
【００２４】
セグメント２２と他のセグメント２２’は、円周方向Ｃと平行に設けられた結合部２３ｔ、２３ｏ’によって円周と径に垂直な方向Wに固定され、凹部２５ｏおよび凸部２５ｔ’によって径方向Rに固定されるが、円周方向Cには凸部２５ｔおよび凹部２５ｏ’の接合面が重なる範囲でスライドするので、分離型保持器１１の各セグメント１２は、円周方向Ｃの急な膨張または縮小をセグメント２２の両端に設けられた結合部２３ｔ、２３ｏにおいて速やかに吸収することができる。
【００２５】
以上、説明したように実施形態１によれば、各セグメント１２、２２の両端に分離型保持器の円周方向Cと平行に結合部１３ｔ、１３ｏ、２３ｔ、２３ｏを設けて各セグメント１２、２２を分離型保持器の円周方向Cに形成された凹凸構造によって嵌め合わせ、セグメント１２、２２の円周方向端部１２ｈ、２２ｈを除く結合部１３ｔ、１３ｏ、２３ｔ、２３ｏおよび結合部１３ｔ、１３ｏ、２３ｔ、２３ｏに形成される凸凹部１５ｏ、１５t、２５ｏ、２５ｔの接合面を総て円周方向Ｃに沿って平行に形成したので、セグメント１２、２２の結合部１３ｔ、１３ｏ、２３ｔ、２３ｏは円周方向Cにスライドし、分離型保持器の急激な膨張および縮小に対して真円を維持し異音の発生を抑制することができる。
【００２６】
また、実施形態１によれば、各セグメント１２、２２の両端の結合部１３ｔ、１３ｏ、２３ｔ、２３ｏに円周方向Cに沿って平行に凸凹部１５ｏ、１５t、２５ｏ、２５ｔを形成して各セグメント１２、２２を分離型保持器の径方向R、および円周と径に垂直な方向Wに形成された凹凸構造によって嵌め合わせたので、分離型保持器の各セグメント１２、２２は、分離型保持器の径方向R、および円周と径に垂直な方向Wに固定されて連結されるので、各セグメント１２、２２の連結が強化される。
【００２７】
さらに、実施形態１によれば、各セグメント１２、２２は、凹部１５ｔ、２５ｔおよび凸部１５ｏ、２５ｏが重なる範囲でスライドするので、膨張および縮小による分離型保持器１１の最大径および最小径に合わせてスライドの幅を調整することができる。
【００２８】
図４は、本発明の第２の実施形態の台形柱の連結部を有する分割型保持器の例を示す図であり、図４（ａ）は、分割型保持器の連結部の斜視図、図４（ｂ）は、分割型保持器の連結部の断面図である。図４に示すように、複数の帯状セグメント３２の両端に設けられた結合部３３ｏ、３３ｔを互いに連結して円環状の分離型保持器が形成される。
【００２９】
セグメント３２の一端の結合部３３ｔは、円周方向Cに沿って平行に形成された台形柱の凸構造に形成され、セグメント３２の他端の結合部３３ｏには、他のセグメント３２’の結合部３３ｔ’の台形柱の凸構造と嵌め合うように台形柱に合わせた凹構造の嵌合孔が形成され、セグメント３２の結合部３３ｏと他のセグメント３２’の結合部３３ｔ’は、円周方向Ｃに形成された凹凸構造によって嵌め合わされる。
【００３０】
台形柱の凸構造および台形柱に合わせた凹構造の嵌合孔は、径方向Ｒおよび円周と径に垂直な方向Ｗに凹凸構造を有し、円周方向Ｃに平行に形成された凹凸構造によって嵌め合わされたセグメント３２の結合部３３ｏと他のセグメント３２’の結合部３３ｔ’は、台形柱によって分離型保持器の径方向Ｒおよび円周と径に垂直な方向Ｗにも嵌め合わされる。
【００３１】
セグメント３２’の結合部３３ｔ’においては、円周方向Ｃに沿って平行に形成された台形の一番短い辺以外の柱の３側面３５ｔ’が接合面となり、セグメント３２の結合部３３ｏでは、他のセグメント３２’の結合部３３ｔ’と嵌め合うように、台形の一番短い辺以外の柱の３側面３５ｔ’に合わせて形成された嵌合孔の柱の３側面３５ｏが接合面となる。
【００３２】
セグメント３２の結合部３３ｏの台形柱の壁の３側面３５ｏおよび他のセグメント３２’の結合部３３ｔ’の台形柱の３側面３５ｔ’からなる接合面は、セグメント３２および他のセグメント３２’の円周方向先端部３２ｈ、３２ｈ’を除いて総て円周方向Ｃに沿って平行に形成されているので、セグメント３２の結合部３３ｏと他のセグメント３２’の結合部３３ｔ’は、円周方向Ｃにスライドする。
【００３３】
セグメント３２と他のセグメント３２’は、円周方向Ｃと平行に設けられた結合部３３ｏ、３３ｔ’によって円周方向Ｃ以外のすべての方向に固定されるが、円周方向Ｃには結合部３３ｏ、３３ｔ’の３側面３５ｏ、３５ｔ’の接合面が重なる範囲でスライドするので、分離型保持器の各セグメント３２は、円周方向Ｃの急な膨張または縮小をセグメント３２の両端に設けられた結合部３３ｏ、３３ｔにおいて速やかに吸収することができる。
【００３４】
図５は、本発明の第２の実施形態の円柱の連結部を有する分割型保持器の例を示す図であり、図５（ａ）は、分割型保持器の連結部の斜視図、図５（ｂ）は、分割型保持器の連結部の断面図である。図５に示すように、複数の帯状セグメント４２の両端に設けられた結合部４３ｏ、４３ｔを互いに連結して円環状の分離型保持器が形成される。
【００３５】
セグメント４２の一端の結合部４３ｔは、円周方向Cに沿って平行に形成された側柱面の一部欠けた円柱の凸構造に形成され、セグメント４２の他端の結合部４３ｏには、他のセグメント４２’の結合部４３ｔ’の側柱面が一部欠けた円柱の凸構造と嵌め合うように側柱面が一部欠けた円柱に合わせた凹構造の嵌合孔が形成され、セグメント４２の結合部４３ｏと他のセグメント４２’の結合部４３ｔ’は、円周方向Ｃに形成された凹凸構造によって嵌め合わされる。
【００３６】
側柱面の一部が欠けた円柱の凸構造および側柱面の一部が欠けたに合わせた凹構造の嵌合孔は、径方向Ｒおよび円周と径に垂直な方向Ｗに凹凸構造を有し、円周方向Ｃに平行に形成された凹凸構造によって嵌め合わされたセグメント４２の結合部４３ｏと他のセグメント４２’の結合部４３ｔ’は、側柱面の一部が欠けた円柱によって分離型保持器の径方向Ｒおよび円周と径に垂直な方向Ｗにも嵌め合わされる。
【００３７】
セグメント４２’の結合部４３ｔ’においては、円周方向Ｃに沿って平行に形成された側柱面が一部欠けた円柱の側面４５ｔ’が接合面となり、セグメント４２の結合部４３ｏでは、他のセグメント４２’の結合部４３ｔ’と嵌め合うように、側柱面の一部が欠けた円柱の側面４５ｔ’に合わせて形成された嵌合孔の円柱の側面４５ｏが接合面となる。
【００３８】
セグメント４２の結合部４３ｏの側柱面が一部欠けた円柱の壁の側面４５ｏおよび他のセグメント４２’の結合部４３ｔ’側柱面が一部欠けた円柱の側面４５ｔ’からなる接合面は、セグメント４２および他のセグメント４２’の円周方向先端部４２ｈ、４２ｈ’を除いて総て円周方向Ｃに沿って平行に形成されているので、セグメント４２の結合部４３ｏと他のセグメント４２’の結合部４３ｔ’は、円周方向Ｃにスライドする。
【００３９】
セグメント４２と他のセグメント４２’は、円周方向Ｃと平行に設けられた結合部４３ｔ、４３ｏ’によって円周方向Ｃ以外のすべての方向に固定されて連結されるが、円周方向Ｃには結合部４３ｔ、４３ｏ’の円柱の側面４５ｏ、４５ｔ’の接合面が重なる範囲でスライドするので、分離型保持器の各セグメント４２は、円周方向Ｃの急な膨張または縮小をセグメント４２の両端に設けられた結合部４３ｔ、４３ｏにおいて速やかに吸収することができる。
【００４０】
以上、詳細に説明したように、第２の実施形態によれば、各セグメント３２、４２の両端に分離型保持器の円周方向Ｃに沿って平行に形成された台形柱の一部または円柱の一部による結合部３３ｔ、３３ｏ、４３ｔ、４３ｏを設けて、各セグメント３２、４２を分離型保持器の円周方向Ｃに形成された凹凸構造によって嵌め合わせ、台形柱の側面３５ｔ、３５ｏおよび円柱の側面４６ｔ、４５ｏを円周方向Ｃに沿って平行に形成したので、セグメント１２、２２の結合部１３ｔ、１３ｏ、２３ｔ、２３ｏは円周方向Ｃにスライドし、分離型保持器の急激な膨張および縮小に対して真円を維持し異音の発生を抑制することができる。
【００４１】
また、実施形態２によれば、各セグメント３２、４２の両端に分離型保持器の円周方向Ｃに沿って平行に形成された台形柱の一部、円柱の一部による結合部３３ｔ、３３ｏ、４３ｔ、４３ｏを設けたので、各セグメント１２、２２は分離型保持器の総ての方向に形成された凹凸構造によって嵌め合わされ、分離型保持器の各セグメント１２、２２は、分離型保持器の円周方向Ｃ以外のすべての方向に固定されて連結されるので、各セグメント１２、２２の連結が強化される。
【００４２】
さらに、実施形態２によれば、各セグメント３２、４２は、凹部３５ｔ、４５ｔおよび凸部３５ｏ、４５ｏが重なる範囲でスライドするので、膨張および縮小による分離型保持器の最大径および最小径に合わせてスライドの幅を調整することができる。
【００４３】
なお、結合部３３ｔ、３３ｏ、４３ｔ、４３ｏを台形柱の一部または円柱の一部としたが、結合部３３ｔ、３３ｏ、４３ｔ、４３ｏを台形柱または円柱としてもよいし、柱形状のものであれば断面の形状はどのようなものであってもよい。
【００４４】
図６は、本発明の第３の実施形態の分割型保持器の連結部の例を示す拡大斜視図である。第１の実施形態に対応する部分は、同一の符号を付して説明を省略する。図６に示すように、分離型保持器には、セグメント５２の両端に設けられた結合部１３ｏ、１３ｔの円周方向Ｃのセグメント先端部５２ｈの他のセグメント５２’との接触面の一部に緩衝材としてダンパー５５が設けられる。
【００４５】
第３の実施形態によれば、セグメント５２の両端の結合部１３ｏ、１３ｔの円周方向Ｃのセグメント先端部５２ｈの他のセグメント５２’との接触面の一部に緩衝材としてダンパー５５を設けたので、セグメント５２、５２’の拡張による衝突の衝撃が和らげられ、セグメント５２、５２’の衝突による異音の発生を抑制することができる。
【００４６】
また、第３の実施形態によれば、セグメント５２の両端の結合部１３ｏ、１３ｔの円周方向Ｃのセグメント端部５２ｈの他のセグメント５２’との接触面の一部に緩衝材としてダンパー５５を設けたので、セグメント５２と他のセグメント５２’の衝突による衝撃を緩和し、セグメント５２と他のセグメント５２’の衝撃による劣化を予防することができる。
【００４７】
なお、スライド部の長さは、保持器を組込んだ軸受の使用もしくは保管温度上限においても、円周方向にわずかにすきまが空き、突っ張らないよう定めるとともに、保持器を組込んだ軸受の使用もしくは保管温度下限においても、スライド部が脱落しない程度の長さにしておけばよい。
【００４８】
また、ダンパー５５の素材は、減衰効果があれば、ゴムでもよいし、樹脂を用いてもよい。
【００４９】
また、本実施の形態のポケット形状は、球面や冠型で説明したが、爪付き円筒ポケットや、円錐台形状のポケットを用いても良い。
【符号の説明】
【００５０】
１１・・・分離型保持器
１２、１２’、２２、２２’、３２、３２’、４２、４２’、５２、５２’・・・セグメント
１２ｈ、１２ｈ’、２２ｈ、２２ｈ’、３２ｈ、３２ｈ’、４２ｈ、４２ｈ’・・・セグメント先端部
１３、１３’・・・結合部
１３ｏ、１３ｏ’、２３ｏ、２３ｏ’、３３ｏ、４３ｏ・・・凹構造
１３ｔ、２３ｔ、３３ｔ、３３ｔ’、４３ｔ、４３ｔ’・・・凸構造
１４、２４、３４、４４・・・ポケット部
１５ｏ、２５ｏ、２５ｏ’・・・凹部
１５ｔ、１５ｔ’、２５ｔ・・・凸部
３５ｔ’・・・凸構造を有する台形柱の３側面
３５ｏ・・・凹構造を有する台形柱の壁の３側面
４５ｔ’・・・凸構造を有する円柱の側面
４５ｏ・・・凹構造を有する円柱の壁の側面
５５・・・ダンパー
６１・・・帯部材
６２・・・転動体転動溝
６３・・・係合部
６４・・・連結部
Ａ、Ｂ・・・セグメントの結合部
Ｃ・・・分離型保持器の円周方向
Ｒ・・・分離型保持器の径方向
Ｗ・・・分離型保持器の円周と径に垂直な方向
６５ａ、６５ｂ・・・嵌合部
【図１】
2013177944.tif 000003
【図２】
2013177944.tif 000004
【図３】
2013177944.tif 000005
【図４】
2013177944.tif 000006
【図５】
2013177944.tif 000007
【図６】
2013177944.tif 000008
【図７】
2013177944.tif 000009
【図８】
2013177944.tif 000010